(57)【要約】【課題】この発明は、表示物が容易に交換可能であり、しかも、折り畳んだ状態においても嵩張らない簡易な構造の表示物保持具を得ることを課題とする。【解決手段】この発明は、１枚の樹脂シートＳを折り曲げて正面１、背面２、底面３の各面が二重壁となる三角筒を構成し、前記二重壁の内壁１１，２１，３１と外壁１２，２２，３２との間にシート状の表示物Ｄを挿入可能とした表示物保持具Ｈであって、前記底面の内壁３２は正面１側に折り畳み可能とし、前記底面の外壁３１には、前記底面３の正背面側端縁と平行な折曲線３１１を形成して構成する。【選択図】  図１
2014206569.tif 000002
【特許請求の範囲】
【請求項１】
１枚のシートを折り曲げて正面、背面、底面の各面が二重壁となる三角筒を構成し、前記二重壁の内壁と外壁との間にシート状の表示物を挿入可能とした表示物保持具であって、
前記底面の内壁は正面側に折り畳み可能とし、
前記底面の外壁には、前記底面の正背面側端縁と平行な折曲線を形成した、
表示物保持具。
【請求項２】
底面内壁の背面側端縁には係止片を設け、
背面の底面側端縁には、前記係止片が係脱可能なスリットを設けた、
請求項１記載の表示物保持具。
【請求項３】
内壁又は外壁の何れか一方又は双方の側縁には抉り部を設けた、
請求項１又は２記載の表示物保持具。
【発明の詳細な説明】
【技術分野】
【０００１】
この発明は、写真やカレンダー、広告などの各種表示物を保持するための表示物保持具に関するものである。
【背景技術】
【０００２】
従来より、写真やカレンダー、広告などの各種表示物を保持するための表示物保持具には種々のものがあり、輸送時や保管時における省スペース性を考慮して、折り畳み可能としたものも提案されている。
【０００３】
例えば、実用新案登録第３１４９４３１号公報に記載された表示物保持具としての三角柱筐体は、正面と背面と底面とからなる中空の三角柱の筐体であって、底面に三角柱の柱軸に平行な折線を設けるとともに、底面内側には、折線より背面側の部分が底面と接着され、折線より正面側の部分と同じ長さだけ折線から突き出た突っ張り片を設けて構成されている。
この発明によれば、底面の折線に沿って底面を筐体内側に折り曲げることにより三角柱状の筐体を容易に折り畳むことができ、また、使用時には折り畳まれた状態の底面を広げることにより容易に三角柱状に組み立て、突っ張り片によって三角柱形状を維持することができる。すなわち、輸送時や保管時においては折り畳んだ状態にしておき、使用時に三角柱状に形成して、各種表示物の保持具として利用することができる。
【特許文献１】実用新案登録第３１４９４３１号公報
【０００４】
しかしながら、この発明にあっては、表示物は接着剤や両面テープなどを用いて三角柱状の筐体に貼り付けたり、各面に表示を直接印刷する必要がある。このため、表示物を接着剤などで貼り付けた場合には、表示物を別の表示物に交換するために接着を一旦剥がして再び接着しなければならず、また、表示を各面に直接印刷した場合には、これを別の表示に変更することはできない。
また、表示物を三角柱状の筐体に貼り付けて用いた場合、表示物は外部に露出した状態となるので、表示物が破損したり汚れたりするおそれがある。
【０００５】
他方、表示物を別の表示物に交換できるようにした表示物保持具として、実用新案登録第３１２７６２６号公報に記載された発明が提案されている。
この発明によれば、表示物は、それぞれ窓部を備えた正面側展示部、背面側展示部に差し替え可能に挿入されているので、表示物の交換を容易に行うことができる。
【特許文献２】実用新案登録第３１２７６２６号公報
【０００６】
しかしながら、この発明の表示物保持具は構造が複雑であり、また、正面部及び背面部はそれぞれ箱状に構成されているので、底面を折り曲げて折り畳んでも、嵩張ってしまうという問題がある。
【発明の開示】
【発明が解決しようとする課題】
【０００７】
この発明は、表示物が容易に交換可能であり、しかも、折り畳んだ状態においても嵩張らない簡易な構造の表示物保持具を得ることを課題とする。
【課題を解決するための手段】
【０００８】
この発明の表示物保持具は、１枚の樹脂シートを折り曲げて正面、背面、底面の各面が二重壁となる三角筒を構成し、前記二重壁の内壁と外壁との間にシート状の表示物を挿入可能とした表示物保持具であって、前記底面の内壁は正面側に折り畳み可能とし、前記底面の外壁には、前記底面の正背面側端縁と平行な折曲線を形成して構成する。
【０００９】
前記１枚の樹脂シートは、正面、背面、底面の各面の外壁を構成する部分が透明又は着色透明であればよく、その他の部分は透明であっても、不透明であってもよい。
この１枚の樹脂シートを用いて二重壁の三角筒を構成する方法としては、５本の折曲線によって６分割された面を備えた樹脂シートを、第１，２折曲線で折り曲げてまず三角筒状に内壁を構成し、さらにそのまま同じ方向に第３ないし５折曲線を折り曲げて内壁の外側に巻き付けるようにして外壁を構成する方法が考えられる。
【００１０】
１枚の樹脂シートで構成される二重壁の三角筒は、正面内壁の側縁長さが底面内壁の側縁長さよりも長く、その断面形状が三角形状であればよく、正三角形や正背面側の長さが等しい二等辺三角形に限られるものではない。
前記底面に形成される折曲線は、前記三角筒の断面形状を正三角形又は正背面側の長さが等しい二等辺三角形とした場合は、前記底面の中央に形成するものとし、前記三角筒の断面形状を正三角形又は正背面側の長さが等しい二等辺三角形以外の形状とした場合には、正面外壁と背面外壁の側縁長さの差分の２分の１だけ前記底面の中央から側縁が長い方の面側にずらした位置に形成するものとする。
【００１１】
前記正面側に折り曲げ可能な底面内壁は、三角筒を形成する際に背面の底面側下縁に突っ張ることができればよいが、底面内壁の背面側端縁に係止片を設け、前記背面の底面側端縁に前記係止片を係脱可能なスリットを設けることが好ましい（請求項２）。
【００１２】
また、内壁又は外壁の何れか一方又は双方の側縁には抉り部を設けてもよい（請求項３）。
【発明の効果】
【００１３】
この発明によれば、１枚の樹脂シートを折り曲げて正面、背面、底面の各面が二重壁となる三角筒状に構成して前記二重壁の内壁と外壁との間にシート状の表示物を挿入可能としたので、各面の内壁と外壁との間に表示物を容易に挿脱することができる。そして、表示物は内壁と外壁との間に挟まれた状態で保持されるので、表示物が外部に露出せず、汚れや破損から保護することができる。
そして、前記底面の内壁は正面側に折り畳み可能とし、前記底面の外壁には前記底面の正背面側端縁と平行な折曲線を形成したので、底面内壁を正面側に折り畳んで、底面外壁を折曲線に沿って折り曲げることにより、三角筒状の表示物保持具を折り畳むことができる。ここで、正面、背面、底面の各面は何れも樹脂シートを重ねて合わせて内壁と外壁とが構成されているだけなので、折り畳んだ状態においても嵩張ることがない。
さらに、この発明の表示物保持具は、１枚の樹脂シートを折り曲げることにより構成されているので、簡易な構造のものとして構成することができる。
【００１４】
請求項２の発明によれば、底面内壁の背面側端縁に係止片を設け、背面の底面側端縁には前記係止片を係脱可能なスリットを設けたので、底面内壁を背面側に倒して三角筒状の表示物保持具を形成した場合において、係止片をスリットに係止させることで、三角筒形状を維持することができる。
【００１５】
請求項３の発明によれば、内壁又は外壁の何れか一方又は双方の側縁には抉り部を設けたので、この抉り部から表示物に直接触れることができ、内壁と外壁の間に側方から表示物を出し入れしやすく、また、内壁と外壁の間に挿入された表示物の位置の微調整を行うこともできる。
【図面の簡単な説明】
【００１６】
【図１】この発明の実施例の概要を示す図
【図２】同じく側面図
【図３】同じく展開図
【図４】同じく折り畳み方法を示す図
【図５】同じく横置きの利用状態を示す図
【図６】同じく縦置きの利用状態を示す図
【発明を実施するための形態】
【００１７】
図１は、この発明の表示物保持具Ｈの概要を示す図である。
正面１、背面２、底面３からなる三角筒状の表示物保持具Ｈは、各面がそれぞれ外壁１１，２１，３１と内壁１２，２２，３２とからなる二重壁を備えた面となるように、１枚の透明樹脂シートを折り曲げて構成されている。
【００１８】
この表示物保持具Ｈの底面外壁３１と背面外壁２１は、底面外壁３１の背面側表面に、背面外壁２１の底面側端縁に延設された接着片２０を透明樹脂で固着することによって連結されている。この実施例では、底面外壁３１と背面外壁２１との連結は接着片２０を固着することにより行うものとしたが、接着片２０を用いた固着に代えて、背面外壁２１の底面側端縁に係止片を設けるとともに、底面外壁３１の背面側端縁の前記係止片対応位置にスリットを設け、前記係止片をこのスリットに係止させて連結するものとしてもよい。
【００１９】
各面の内壁の側縁長さ１２Ｌ，２２Ｌ，３２Ｌは、それぞれ対応する外壁の側縁長さ１１Ｌ，２１Ｌ，３１Ｌよりも僅かに短く、二重壁の三角筒を構成した際、正面１において外壁１１と内壁１２とが、背面２において外壁２１と内壁２２とが、底面３において外壁３１と内壁３２とが、それぞれ内外壁間に大きな隙間が生じることなく重なり合うようになっている。そして、重なり合う外壁１１，２１，３１と内壁１２，２２，３２とは単に重ね合わされているだけで固着されておらず、正面１の外壁１１と内壁１２、背面２の外壁２１と内壁２２、底面３の外壁３１と内壁３２の間の僅かな隙間には、それぞれシート状の表示物が挿脱できるようになっている。
また、正面内壁１２及び背面内壁２２の一側縁には、表示物の出し入れがし易いように、抉り部１２１，２２１が形成されている。
【００２０】
底面３の内壁３２の背面側端縁には係止片３４が二つ形成されており、背面２の底面側端縁に形成された二つのスリット２４に係脱可能に係止されている。この係止片３４をスリット２４に係止することによって三角筒形状を保つことができ、係止片３４のスリット２４への係止状態を解除することにより、底面内壁３２を正面１側に折り畳むことができる。
そして、この係止片３４とスリット２４との係止位置は底面３と背面２の間の端縁上にあるので、背面２の外壁２１と内壁２２並びに底面３の外壁３１と内壁３２の間に表示物を挿入する際、係止片３４とスリット２４との係止部に邪魔されることなく表示物を挿入することができる。
【００２１】
底面３の外壁３１の中央には、底面３の正背面側端縁と平行な折曲線３１１が形成されており、この折曲線３１１によって底面外壁３１を外側に折り曲げる（山折りにする）ことができる。なお、この実施例において底面外壁は外側に折り曲げるものとしてあるが、内側に折り曲げる（谷折りにする）こともできる。
【００２２】
図３は、この発明の表示物保持具Ｈの展開図である。
１枚の縦長矩形の透明樹脂シートＳには、折曲線が７本形成されている。このうち、折曲線Ｓ１ないしＳ５の５本の折曲線が二重壁の三角筒を構成するためのものであり、折曲線Ｓ６が背面外壁２１の端縁に延設された接着片２０を折り曲げるためのものである。
折曲線Ｓ１ないしＳ５によって６分割された各面は、係止片３４側から底面内壁３２、正面内壁１２、背面内壁２２、底面外壁３１、正面外壁１１、背面外壁２１の順に配列されている。各内壁の側縁長さ１２Ｌ，２２Ｌ，３２Ｌは、それぞれ対応する各外壁の長さ１１Ｌ，２１Ｌ，３１Ｌよりも僅かに短く形成されている。
さらに、底面外壁３１中央部には、折り畳み時に底面外壁３１を折り曲げるための折曲線３１１が形成されている。
上記した折曲線Ｓ１ないしＳ６及び折曲線３１１は、何れもミシン目加工やプレス加工等の公知の加工方法で形成されている。
そして、底面内壁３２の先端には二つの係止片３４が設けられており、折曲線Ｓ３、Ｓ６上には、三角筒構成時にこの係止片３４を係止するためのスリット２４が形成されている。
【００２３】
次に、上述した１枚の透明樹脂シートＳを用いて三角筒状の表示物保持具Ｈを形成する方法を説明する。
まず、折曲線Ｓ１，Ｓ２を谷折りに折り曲げて底面内壁３２、正面内壁１２、背面内壁２２からなる三角筒を形成する。このとき、係止片３４を背面内壁２２の底面側端縁（折曲線Ｓ３上）に形成されたスリット２４に係止すると、内壁３２，１２，２２によって形成された三角筒形状を維持できる。
次いで、折曲線Ｓ３，Ｓ４，Ｓ５をＳ１，Ｓ２と同様に谷折りに折り曲げ、底面内壁３２、正面内壁１２、背面内壁２２の外側に重ねるようにして底面外壁３１、正面外壁１１、背面外壁２１を形成する。このとき、係止片３４を背面外壁２１の底面側端縁（折曲線Ｓ６上）に形成されたスリット２４に係止すると、内壁３２，１２，２２と外壁３１，１１，２１によって形成された二重壁の三角筒形状を維持できる。
最後に背面外壁２１の端縁に延設された接着片２０を折曲線Ｓ６によって底面３側に折り曲げ、透明樹脂などの接着剤を用いて底面外壁３１に接着する。
以上により、１枚の透明樹脂シートＳを用いて正面１、背面２、底面３の各面が二重壁となる三角筒状の表示物保持具Ｈが形成される。この三角筒状の表示物保持具Ｈは、背面外壁２１と底面外壁３１とが接着片２０によって固着されているだけで、内壁３２，１２，２２と外壁３１，１１，２１とは固着されていないので、正面１、背面２、底面３における内外壁の間にそれぞれシート状の表示物を挿入することができる。
【００２４】
次いで、この発明の表示物保持具Ｈの使用方法を説明する。
＜折り畳み方法と組み立て方法＞
図４を参照して表示物保持具Ｈの折り畳み方法と組み立て方法を説明する。
二重壁の三角筒状に形成された表示物保持具Ｈを折り畳む場合には、まず、背面２の底面側端縁に形成されたスリット２４に係止されている底面内壁３２の係止片３４を、スリット２４から外して係止状態を解除し、折曲線Ｓ１を用いて底面内壁３２を正面１側に折り曲げる。次いで、底面外壁３１を、その中央に形成された折曲線３１１で三角筒の外側方向に（谷折りに）折り曲げ、正面１と背面２とが重なるように折り畳む。このとき、外壁１１，２１，３１と内壁１２，２２，３２とは固着されている部分がないので、二重壁の三角筒を折り畳む際、内壁と外壁とが互いに拘束されることがなく、容易に折り畳んでほぼ平坦な状態にすることができる。
折り畳まれた状態の表示物保持具Ｈを三角筒状に形成して使用する場合には、上記した折り畳み手順と逆の手順により行えばよい。すなわち、まず、折曲線３１１で半分に折り曲げられている底面外壁３１を開いて広げ、畳まれた状態の正面１と背面２とをそれぞれ反対方向に（外側に）向かって押し広げる。次いで、正面１側に折り畳まれている底面内壁３２を底面３側に開いて背面２側に突っ張らせ、係止片３４をスリット２４に係止させて正面１、背面２、底面３の各面が二重壁となる三角筒状に構成する。このとき、底面内壁３２の係止片３４をスリット２４に係止させているので、正面１と背面２との間における底面内壁３２の突っ張り状態が維持され、三角筒状態を保つことができる。
以上のように、この発明の表示物保持具Ｈは、折り畳み、組み立てを容易に行うことができるので、運搬時や保管時などの未使用時には折り畳んで嵩張らないようにしておき、使用する際に三角筒状に組み立てて表示物を保持することができる。
【００２５】
＜利用態様＞
三角筒状に形成された表示物保持具Ｈの正面１、背面２、底面３の外壁１１，２１，３１と内壁１２，２２，３２とは互いに固着されておらず、各面の側縁が開口しているので、各面の外壁と内壁との間に側方から写真や広告、カレンダーなどのシート状の表示物Ｄを挿脱することができる。そして、正面内壁１２及び背面内壁２２の側縁に抉り部１２１，２２１が形成されているので、この抉り部１２１，２２１を介して正面１及び背面２に挿入された表示物Ｄに直接触れることができ、各面内における表示物Ｄの位置調整をしたり、表示物Ｄの取り出しを行うことができる。
この表示物保持具Ｈは、横置きにしても縦置きにしても使用することができる。例えば、表示面が１面ないし２面で足りるときは横置きで使用することができ（図５）、表示面を３面としたいときには縦置きで使用することができる（図６）。
そして、表示物Ｄは各面の内外壁の間に挿入されて保持されているので、汚れたり破損したりするおそれがない。
【産業上の利用可能性】
【００２６】
この発明は、写真やカレンダー、広告などの各種表示物を保持するための表示物保持具に関するものであり、産業上の利用可能性を有するものである。
【符号の説明】
【００２７】
Ｈ  表示物保持具
Ｓ  透明樹脂シート
Ｄ  表示物
１  正面
１１  正面外壁
１２  正面内壁
１２１  抉り部
２  背面
２１  背面外壁
２２  背面内壁
２２１  抉り部
２４  スリット
２０  接着片
３  底面
３１  底面外壁
３１１  折曲線
３２  底面内壁
３４  係止片
Ｓ１，Ｓ２，Ｓ３，２４，Ｓ５，Ｓ６  折曲線
【図１】
2014206569.tif 000003
【図２】
2014206569.tif 000004
【図３】
2014206569.tif 000005
【図４】
2014206569.tif 000006
【図５】
2014206569.tif 000007
【図６】
2014206569.tif 000008